(57)【要約】【課題】携帯性に適した小型軽量な通信端末を屋内で使用する場合には、当該通信端末が有する諸機能を屋内での使用に合わせて利便性を高めることのできる充電装置および通信端末を提供すること。【解決手段】通信機能を備えたＴＶ電話装置１００は、無線基地局から非音声情報や音声情報を受信し、非音声情報は第１の表示部１１４に表示し、音声情報は第１スピーカ１０９から出力する。ＴＶ電話装置１００を充電装置２００に装着したときは、受信した非音声情報および音声情報は、充電装置２００へ送信され、非音声情報は充電装置２００の表示部２０５が表示し、音声情報は充電装置２００の第２のスピーカ部２０４が出力する。また、ＴＶ電話装置１００を充電装置２００に装着した状態で着信があった場合は、充電装置２００の操作部２０３を操作して受話を行う。また、この状態で終話したい場合は、充電装置２００の操作部２０３を操作して終話を行う。【選択図】　　図４
2004023386.tif 000002
【特許請求の範囲】
【請求項１】
基地局と通信を行う通信端末を装着可能な充電装置であって、
前記基地局と無線通信を行う第１通信手段、当該充電装置と通信を行う第２通信手段、および前記第１通信手段が受信した情報を出力または表示可能な第１出力表示手段を有する前記通信端末を装着するための装着部と、
前記第２通信手段と通信を行う第３通信手段と、
前記第２通信手段から送信され、前記第３通信手段が受信した情報を出力または表示する第２出力表示手段と、を備え、
前記通信端末が前記装着部に装着された状態では、
前記通信端末の前記第１通信手段で受信され、前記第２通信手段から前記第３通信手段に送信された情報を、前記第２出力表示手段が出力または表示し、かつ、前記通信端末が有する前記電池を充電することを特徴とする充電装置。
【請求項２】
前記通信端末は、充電可能な電池を有し、
前記通信端末が前記装着部に装着された状態のとき、前記通信端末が有する前記電池を充電することを特徴とする請求項１記載の充電装置。
【請求項３】
前記通信端末が装着された状態で前記通信端末に対して行う指示を操作によって行うための操作手段を備え、
前記指示は、受話または終話の指示を含むことを特徴とする請求項１または２記載の充電装置。
【請求項４】
基地局と無線通信を行う第１通信手段と、
充電装置と通信を行う第２通信手段と、
前記第１通信手段が受信した情報を出力または表示可能な第１出力表示手段と、を備え、
前記第２通信手段と通信を行う第３通信手段と、前記第２通信手段から送信され、前記第３通信手段が受信した情報を出力または表示する第２出力表示手段を有する前記充電装置に当該通信端末を装着した状態では、
前記第１通信手段が受信した情報を、前記第２通信手段から前記充電装置が有する前記第３通信手段に送信することを特徴とする通信端末。
【請求項５】
前記通信端末を前記充電装置に装着した状態において、前記第２出力表示手段が露呈するよう構成したことを特徴とする請求項４記載の通信端末。
【請求項６】
請求項１、２または３記載の充電装置および請求項４または５記載の通信端末を備えたことを特徴とする通信端末装置。
【発明の詳細な説明】
【０００１】
【発明の属する技術分野】
本発明は、携帯性に適した小型軽量なＴＶ電話装置等の通信端末を屋内で使用する場合には、当該通信端末が有する諸機能を屋内での使用に合わせて利便性を高めることのできる充電装置および通信端末に関する。
【０００２】
【従来の技術】
従来の携帯電話等の電話機の構成が、特開平７−２０３５３７号公報に開示されている。当該公報に記載のコードレス電話装置は、ハンドセットと操作部とを有する親機と、親機と無線通信を行う無線（ＲＦ）部、ハンドセット、操作部、充電端子および赤外線発光部を有する子機と、充電端子と接触して子機に電力を充電する充電端子、操作部、および赤外線を発光する発光部を有する充電台とから構成されている。
【０００３】
また、特開平１０−３０３８２４号公報に記載の装置は、制御回路、無線送受信回路、操作部（キースイッチ入力部）、表示部および赤外線送受信回路部を有する携帯電話機と、制御回路、無線送受信回路、操作部（キースイッチ入力部）および赤外線送受信回路部を有する携帯電話機用オプション装置とが赤外線伝送路によって通信可能に接続されている。
【０００４】
また、特開平１０−３０８８０２号公報に記載の装置は、無線通信ポートが設けられた移動電話機を着脱可能に保持する保持台と、この保持台への前記移動電話機の装着を検出する装着検出手段と、前記移動電話機の前記穂保持台への装着状態で前記移動電話機の無線通信ポートと対向する位置に設けられ、無線通信信号を送受するための無線通信ポートと、前記装着検出手段が前記移動電話機の装着を検出したときに前記無線通信ポート間の通信プログラムを開始する無線通信制御手段とを備えたて構成されている。
【０００５】
【発明が解決しようとする課題】
ところで、近年、装置の小型軽量化が著しく進展しており、ＴＶ電話装置は携帯性に適した小型軽量な大きさを実現するために、操作部や表示部、受話部、ハンズフリー用スピーカ等の大きさが制限されている。しかしながら、装置の小型化を図るために表示部を小さくすると、当該表示部に表示する文字を小さくしなければならないが、文字が小さくなると文字が潰れたように見えるため読み取りづらいといった問題点があった。
【０００６】
また、文字の大きさを小さくしない場合は一時に表示部に表示可能な文字数を少なくしなければならないため、表示部に表示される文章が短くなる。このため、メールを読む際など、改ページを行う動作回数が増えるため、操作性の低下を招いていた。また、ハンズフリー時にはスピーカにより音声が生成または出力されるが、スピーカの小型化を図れば低域の音量が小さくなるため人の声が聞き取りづらくなり、声質も変化し、音量も小さくなってしまうなど、ＴＶ電話装置として重要な小型化、軽量化を達成するためには諸機能や性能を若干犠牲にしなければならないという問題点もあった。
【０００７】
しかしながら、ＴＶ電話装置、特に携帯端末は必ずしも屋外でのみ使用されるものではない。携帯して外出する場合には小型軽量な装置が好適ではあるが、例えば自宅で使用する場合には携帯性よりも諸機能が充実していた方が良いといった要望があった。
【０００８】
また、ＴＶ電話装置においては、使用者等を撮像するカメラや、撮像した画像や受信した画像を処理する画像処理部等を動作させなければならず、また、表示部で表示される通信相手から送信された画像を明瞭に見えるようにするために、表示部は常時照明しなければならない。このため、音声通信時に比べ、カメラを使用する場合は消費電力が増大してしまう。したがって、ＴＶ電話利用時は音声通信時に比べて利用可能な時間が短くなってしまうという課題がある。
【０００９】
また、上記説明した特開平７−２０３５３７号公報に記載の装置では、子機を充電するために当該子機を充電台に装着すると子機と充電機の発光部が対向するため、子機と充電台との間で赤外線によるデータの送受信が行える。しかしながら、このとき送受信されるデータは操作部から入力されたダイヤル番号情報だけであるため、通話中はハンドセットを把持する状態のため赤外線によるデータの送受信が行えず、その用途は限定されてしまう。
【００１０】
また、上記説明した特開平１０−３０３８２４号公報および特開平１０−３０８８０２号公報に記載の装置では、電話機（移動電話機）を保持台（オプション装置）に装着すると、移動電話機と保持台との間で赤外線による無線通信が行われ、保持台に接続されるハンズフリーユニットを用いて通話をすることができる。しかしながら、文字や記号等から成るメール通信や通話相手の顔を見ながら通話するＴＶ電話では、赤外線による無線通信が利用できない仕組みとなっている。また、保持台は電話機を保持するだけのものであり、保持台に赤外線による通信機能を付加したときの制御方法などが詳述されていないため、これを活用した商品化が遅れていた。
【００１１】
本発明は、上記従来の問題点に鑑みてなされたものであって、携帯性に適した通信端末を屋内で使用する場合には、当該通信端末が有する諸機能を屋内での使用に合わせて利便性を高めることのできる充電装置および通信端末を提供することを目的としている。
【００１２】
【課題を解決するための手段】
上記目的を達成するために、本発明に係る充電装置は、基地局と通信を行う通信端末を装着可能な充電装置であって、前記基地局と無線通信を行う第１通信手段、当該充電装置と通信を行う第２通信手段、および前記第１通信手段が受信した情報を出力または表示可能な第１出力表示手段を有する前記通信端末を装着するための装着部と、前記第２通信手段と通信を行う第３通信手段と、前記第２通信手段から送信され、前記第３通信手段が受信した情報を出力または表示する第２出力表示手段と、を備え、前記通信端末が前記装着部に装着された状態では、前記通信端末の前記第１通信手段で受信され、前記第２通信手段から前記第３通信手段に送信された情報を、前記第２出力表示手段が出力または表示し、かつ、前記通信端末が有する前記電池を充電する。
【００１３】
このように、通信端末が充電装置に装着された状態では、通信端末で受信された画像、動画、音声等の情報は充電装置が有する第１出力表示手段から出力または表示される。充電装置は屋内で用いられることが多いため、携帯性に適した通信端末が有する諸機能を屋内での使用に合わせることによって利便性を高めることができる。
【００１４】
また、本発明に係る充電装置は、前記通信端末は、充電可能な電池を有し、前記通信端末が前記装着部に装着された状態のとき、前記通信端末が有する前記電池を充電する。したがって、通信端末が有する電池を充電しながら、画像、動画、音声等の情報を第１出力表示手段から出力または表示することができる。
【００１５】
また、本発明に係る充電装置は、前記通信端末が装着された状態で前記通信端末に対して行う指示を操作によって行うための操作手段を備え、前記指示は、受話または終話の指示を含む。したがって、通信端末が充電装置に装着された状態で当該通信端末に基地局から着信があった場合は、充電装置が有する操作手段を操作することによって、通信端末を充電装置から取り外して受話操作を行わなくても受話操作することができる。同様に、操作手段を操作することによって、通信端末を充電装置から取り外して受話操作を行わなくても終話操作することができる。
【００１６】
また、本発明に係る通信端末は、充電装置に装着可能な、基地局と通信を行う通信端末であって、前記基地局と無線通信を行う第１通信手段と、前記充電装置と通信を行う第２通信手段と、前記第１通信手段が受信した情報を出力または表示可能な第１出力表示手段と、充電可能な電池と、を備え、前記第２通信手段と通信を行う第３通信手段、および前記第２通信手段から送信され、前記第３通信手段が受信した情報を出力または表示する第２出力表示手段を有する前記充電装置に当該通信端末を装着した状態では、前記第１通信手段が受信した情報を、前記第２通信手段から前記充電装置が有する前記第３通信手段に送信し、かつ、前記充電装置によって前記電池が充電される。
【００１７】
このように、通信端末が充電装置に装着された状態では、通信端末で受信された画像、動画、音声等の情報は充電装置が有する第１出力表示手段から出力または表示される。充電装置は屋内で用いられることが多いため、携帯性に適した通信端末が有する諸機能を屋内での使用に合わせることによって利便性を高めることができる。
【００１８】
また、本発明に係る通信端末は、前記通信端末を前記充電装置に装着した状態において、前記第２出力表示手段が露呈するよう構成することが望ましい。
【００１９】
さらに、本発明に係る通信端末装置は、請求項１または２記載の充電装置および請求項３または４記載の通信端末を備える。
【００２０】
【発明の実施の形態】
以下、本発明の実施の形態について、図面を参照して説明する。図１は、本発明の一実施形態に係るＴＶ電話装置の閉じた状態を示す斜視図である。図２は、図１に示したＴＶ電話装置の開いた状態を示す斜視図である。図３は、本発明の一実施形態に係る充電装置の斜視図である。図４は、図１に示したＴＶ電話装置を図３に示した充電装置に装着した状態を示す斜視図である。図５は、図２に示したＴＶ電話装置を図３に示した充電装置に装着した状態を示す斜視図である。図６は、図５に示したＴＶ電話装置および充電装置の横断面図である。図７は、本発明の一実施形態に係るＴＶ電話装置と充電装置の電気的構成を示すブロック図である。
【００２１】
なお、本発明の一実施形態に係るＴＶ電話装置は、第３世代携帯電話Ｗ−ＣＤＭＡ方式やＣＤＭＡ方式、ＰＤＣ方式、ＧＳＭ方式等に対応したものであり、以降の説明において、アンテナは何れかの方式の基地局との無線通信に使用されるものとして説明する。
【００２２】
以下、本発明の一実施形態に係る、充電装置および特許請求の範囲の通信端末に該当するＴＶ電話装置について説明する。
【００２３】
まず、本実施形態のＴＶ電話装置について、図１、図２および図７を参照して説明する。
同図に示すように、本発明の一実施形態に係るＴＶ電話装置１００は、筐体１０１、アンテナ１０２、特許請求の範囲の第１通信手段に該当する送受信部１０３、バイブレータ部１０４、第１の操作部１０５、情報記録部１０６、電池１０７、受話部（レシーバ）１０８、第１出力表示手段に該当する第１のスピーカ部１０９、送話部（マイクロフォン）１１０、カメラ部１１１、ホール素子１１２、第２通信手段に該当する第１の赤外線接続部１１３、第１出力表示手段に該当する第１の表示部１１４、第２の表示部１１５、電源入力部１１６、第１の情報記録カード部１１７、画像処理部１１８、第１の音声コーデック１１９、着信ランプ１２０および第１の制御部１２１を備えて構成されている。
【００２４】
なお、アンテナ１０２、送受信部１０３、バイブレータ部１０４、第１の操作部１０５、情報記録部１０６、電池１０７、受話部１０８、第１のスピーカ部１０９、送話部１１０、カメラ部１１１、ホール素子１１２、第１の赤外線接続部１１３、第１の表示部１１４、第２の表示部１１５、電源入力部１１６、第１の情報記録カード部１１７、画像処理部１１８、第１のコーデック部１１９、着信ランプ１２０および第１の制御部１２１は、筐体１０１に設けられている。筐体１０１には永久磁石１２２が設けられている。また、情報記録カード１２３は筐体１０１外部より第１の情報記録カード部１１７に装着される。
【００２５】
以下、ＴＶ電話装置１００が有する構成要素について説明する。
まず、筐体１０１は、ヒンジ部１０１ｃを介して開閉可能に連結された第１および第２の筐体部材１０１ａ，１０１ｂから構成されている。ＴＶ電話装置１００の携帯時には、第１の筐体部材１０１ａが第２の筐体１０１ｂと隣接して対向するように閉じられた状態で用いられる。一方、使用時には、第１の筐体部材１０１ａと第２の筐体部材１０１ｂが開いた状態で用いられる。
【００２６】
また、第１の制御部１２１は、送受信部１０３、バイブレータ部１０４、第１の操作部１０５、情報記録部１０６、カメラ部１１１、ホール素子１１２、第１の赤外線接続部１１３、第１の表示部１１４、第２の表示部１１５、電源入力部１１６、第１の情報記録カード部１１７、画像処理部１１８、第１の音声コーデック１１９とに接続され、これらを制御する。また、第１の制御部１２１は電池１０７に接続され、この電池１０７から電力が供給される。
【００２７】
第１の制御部１２１は、送受信部１０３を動作させ、アンテナ１０２を使用して無線基地局（図示せず）からの音声情報と非音声情報とから成る無線信号を受信する。この無線信号は画像処理部１１８や第１の音声コーデック１１９で処理される。処理済みの音声情報は受話部１０８または第１のスピーカ部１０９から出力され、処理済みの非音声情報は第１または第２の表示部１１４，１１５に表示される。送話部１１０が捉えた音声は第１の音声コーデック１１９で処理された後、送受信部１０３に送られる。
【００２８】
また、画像処理部１１８にはカメラ部、第１の表示部１１４、第２の表示部１１５が接続され、画像情報の圧縮や復元などの処理を行う。また、第１の音声コーデック１１９には受話部（レシーバ）１０８、第１のスピーカ部１０９、送話部（マイクロフォン）１１０が接続され、音声信号のＡ／Ｄ変換またはＤ／Ａ変換を行う。
【００２９】
また、カメラ部１１１は、レンズとＣＣＤ等の撮像素子から構成されており、カメラ部１１１が捉えた被写体からの入射光は光信号から電気信号に変換され、画像情報（非音声情報）を生成する。この画像情報は画像処理部１１８で処理された後、送受信部１０３に送られる。画像処理部１１８および第１の音声コーデック１１９から送られてきた音声情報、画像情報は送受信部１０３の動作によりアンテナから無線基地局へ送信される。
【００３０】
また、バイブレータ部１０４は、起振して着信を振動で報知するためのものである。ＴＶ電話装置１００がマナーモードに設定してあれば、着信した時に起振する。また、第１の操作部１０５は、文字、記号、数字等を入力する数字入力ボタン１０５ａ、カメラ部１１１を操作するためのカメラボタン１０５ｂ、着信時に操作すると受話を開始する受話ボタン１０５ｃ、通話時に操作すると終話を実行する終話ボタン１０５ｄ等で構成される。また、情報記録部１０６は、電話番号情報や音声情報、非音声情報等が記録される。
【００３１】
また、第１の表示部１１４、第２の表示部１１５および第３の表示部２０５は、液晶表示器とバックライトとから構成され、文字、記号、数字および画像等を表示する。第１の表示部１１４は、第１および第２の筐体部材１０１ａ，１０１ｂを開いた場合に露呈する第１の筐体部材１０１ａの第１面（第１の筐体部材の主面）に設けられている。第２の表示部１１５は、第１の筐体部材１０１ａにおける第１面とは反対側の第２面（第１の筐体部材の副面）に設けられている。カメラ部１１１は、第１の筐体部材１０１ａの第１面に設けられ、第１の表示部１１４の前方を撮像するように配置されている。
【００３２】
また、永久磁石１２１は、第１の筐体部材１０１ａの主面に設けられている。ホール素子１１２は、第１の筐体部材１０１ａと第２の筐体部材１０１ｂが閉じられたときに第１の筐体部材１０１ａの第１面と対向する第２の筐体部材１０１ｂの面に設けられている。第１の筐体部材１０１ａおよび第２の筐体部材１０１ｂが閉じられたときに永久磁石１２１がホール素子１１２に近接するため、ホール素子１１２が永久磁石１２１を検出して検出信号を第１の制御部１２１に与える。また、第１の筐体部材１０１ａおよび第２の筐体部材１０１ｂが開かれたときに永久磁石１２１がホール素子１１２から離隔されるため、ホール素子１１２が永久磁石１２１を検出できないから検出信号を生成しない。したがって、第１の制御部１２１は、ホール素子１１２からの検出信号を受けるか否かにより第１の筐体部材１０１ａおよび第２の筐体部材１０１ｂの開閉状態を認識することができる。
【００３３】
また、第１の赤外線接続部１１３は、第１の赤外線送受信回路部１１３ａと、第１の赤外線発光部１１３ｂと、第１の赤外線受光部１１３ｃとを有する。第１の赤外線接続部１１３の第１の赤外線発光部１１３ｂおよび第１の赤外線受光部１１３ｃは、第２の筐体部材１０１ｂの側面に設けられている。また、第２の赤外線接続部２０２は、第２の赤外線送受信回路部２０２ａと、第２の赤外線発光部２０２ｂと、第２の赤外線受光部２０２ｃとを有する。ＴＶ電話装置１００を載置部２１０に収容させて充電装置２００に装着すると、第１の赤外線発光部１１３ｂは第２の赤外線受光部２０２ｃと対向し、第１の赤外線受光部１１３ｃは第２の赤外線発光部２０２ｂと対向する。
【００３４】
次に、本実施形態の充電装置について、図３、図６および図７を参照して説明する。
同図に示すように、本発明の一実施形態に係る充電装置２００は、充電器筐体２０１、特許請求の範囲の第３通信手段に該当する第２の赤外線接続部２０２、操作手段に該当する第２の操作部２０３、第２出力表示手段に該当する第２のスピーカ部２０４、第２出力表示手段に該当する第３の表示部２０５、電源供給部２０６、第２の情報記録カード部２０７、第２の音声コーデック部２０８、第２の制御部２０９、載置部２１０およびＡＣアダプタ２１１を備えて構成されている。なお、第２の赤外線接続部２０２、第２の操作部２０３、第２のスピーカ部２０４、第３の表示部２０５、電源供給部２０６、第２の情報記録カード部２０７、第２の音声コーデック部２０８および第２の制御部２０９は、充電器筐体２０１に設けられている。
【００３５】
以下、充電装置２００が有する構成要素について説明する。
まず、第２の制御部２０９は、第２の赤外線接続部２０２、第２の操作部２０３と、第３の表示部２０５、電源供給部２０６、第２の情報記録カード部２０７、第２の音声コーデック２０８、ＡＣアダプタ２１１とに接続され、これらを制御する。また、第２のスピーカ部２０４は第２のコーデック２０８に接続され、音声信号のＡ／Ｄ変換またはＤ／Ａ変換を行う。
【００３６】
また、充電器筐体２０１上部にはＴＶ電話装置１００が装着される載置部２１０が形成され、載置部２１０の底部には電源供給部２０６が設けられ、側面部には第２の赤外線接続部２０２が設けられている。なお、前述した第１の赤外線接続部１１３と第２の赤外線接続部２０２とで無線通信を行う赤外線通信は、ＩｒＤＡ規格に準拠している。
【００３７】
また、載置部２１０は、充電器筐体２０１の表面に形成され、第１の筐体部材１０１ａの電池１０７面側が充電器筐体２０１側に向けられて装着される。第２の筐体部材１０１ｂは載置部２１０に装着されないため、開閉可能なＴＶ電話装置１００は充電装置に装着しても開閉ができるようになっている。閉じた状態では、図４に示すように、第２の表示部１１５が第３の表示部２０５と同じ方向に向けられるように装着される。一方、開いた状態では、図５に示すように、第１の表示部１１４が第３の表示部２０５と同じ方向に向けられるように装着される。
【００３８】
なお、ＴＶ電話装置１００は開閉何れの状態でも、送話部１１０は第１の表示部１１４または第２の表示部１１５と同じ方向に向けられる（露呈される）よう装着されるため、第１、第２の表示部１１４，１１５を見ながら送話部１１０を向いて話すことにより、ハンズフリーで通話が行える。また、前述の情報記録カード１２３は、充電器筐体２０１外部より第２の情報記録カード部２０７に装着することができる。
【００３９】
また、ＡＣアダプタ２１１は、商用電源からの商用電流を直流電流に変換するものであり、第２の制御部２０９に直流電源を供給する。また、電池１０７が装着されたＴＶ電話装置１００を載置部２１０に装着すると、電源供給部２０６から電源入力部１１６を介して電池１０７に直流電流を供給するため充電される。第１の制御部１２１は電池１０７に供給される電流値とか電圧値をモニタし、モニタ結果より電池１０７へ電流が供給されていると判断されたとき、ＴＶ電話装置１００が充電装置２００に装着されていると認識する。
【００４０】
ＴＶ電話装置１００は、充電装置２００に装着され電池１０７が充電されているときに赤外線通信を行う。ＴＶ電話装置１００が着信すると、画像処理部１１８にて処理された画像情報と第１の音声コーデック部１１９で処理される前の音声情報が第１の赤外線送受信回路部１１３ａへ送信された後、赤外線に変換され、第１の赤外線発光部１１３ｂから第２の赤外線受光部２０２ｃに向けて赤外線が照射される。
【００４１】
第２の赤外線受光部２０２ｃは、受光した赤外線から逆の変換を行って得られた情報を第２の制御部２０９に送る。第２の制御部２０９は、音声情報と非音声情報に分離し、音声情報は第２の音声コーデック１０８で処理され、処理された音声情報は第２のスピーカ部２０４から出力される。一方、非音声情報は第３の表示部２０５で表示される。
【００４２】
また、第２の操作部２０３は、ＴＶ電話装置１００が充電装置２００に装着された状態で着信時に操作すると受話を開始する受話ボタン２０３ｃ、通話時に操作すると終話を実行する終話ボタン２０３ｄを有する。また、第２の制御部２０９は、第２の操作部２０３の動作を検出して第２の赤外線送受信回路部２０２ａに電気信号を送る。第２の赤外線送受信回路部２０２ａはこの電気信号を赤外線に変換し、第２の赤外線発光部１０２ｂから第１の赤外線受光部１１３ｃに向けて赤外線を照射する。第１の赤外線回路部１１３ａは第１の赤外線受光部１１３ｃが受光した赤外線を電気信号に変換し、第１の制御部１２１に送る。第１の制御部１２１は受信信号を受け、受信信号の処理を行う。
【００４３】
また、第３の表示部２０５は第１の表示部１１４より大画面であるため、文字や画像を第３の表示部２０５に表示させれば見やすくなる。一般に、小さい画面に画数が多い漢字を表示したときには、文字が潰れて読み取りづらくなってしまうが、大画面であればこの心配はない。また、第２のスピーカ部２０４は、レシーバ１０８や第１のスピーカ部１０９よりも大径なダイナミックスピーカを採用しているため、低域（約５００Ｈｚ以下）の再現性が良好となり、人の声や打楽器等の音を正確に聞くことができる。
【００４４】
次に、本発明の一実施形態のＴＶ電話装置１００および充電装置２００の動作について、図９〜図１７を参照して説明する。図９は、本発明の一実施形態に係るＴＶ電話装置の機能を説明するための説明図である。図１０〜図１３は、本発明の一実施形態に係るＴＶ電話装置が受話を開始するまでの動作を説明するフローチャートである。図１４および図１５は、本発明の一実施形態に係るＴＶ電話装置が受話を開始してから終話するまでの動作を説明するフローチャートである。図１６および図１７は、本発明の一実施形態に係るＴＶ電話装置および充電装置で音声または音楽を再生するときの動作を説明するフローチャートである。
【００４５】
ＴＶ電話装置１００に電源が投入された状態では音声通信モードが開始され、第１の操作部１０５を操作することでモード切替を実行し、非音声通信モードまたはカメラモードで各機能操作を行える。図９に示すように、音声通信モードでは、音声および非音声の受信待受動作を開始し、音声の着信動作や発信動作を行うことで相手と会話をすることができる。
【００４６】
一方、非音声通信モードでは、図９に示すように、受信待受状態を維持しながら第１の操作部１０５から入力された文字情報を第１の表示部１１４に表示し、かつ、送信機能を用いて相手に送信することができる。また、文字情報または画像情報を受信したとき、第１の表示部１１４および第２の表示部１１５に当該受信を報知するためのメッセージを表示し、かつ、所定の操作によって文字情報または画像情報を第１および第２の表示部１１４，１１５に表示することができる。なお、音声通信または非音声通信を行うときに送信相手を確定するためには、電話帳機能を用いて送信相手の選択して確定をすることができる。
【００４７】
また、カメラモードでは、図９に示すように、カメラ部１１１のレンズにより撮像素子（光電変換素子）に投影された画像情報を第１の表示部１１４または第２の表示部１１５に表示し、画像情報を情報記録部１０６や第１の情報記録カード部１１７に装着された情報記録カード１２２に格納することができる。
【００４８】
ＴＶ電話装置１００は、開閉何れの状態でも受信待受をすることができる。また、充電装置２００は、ＴＶ電話装置１００が開閉何れの状態でも装着でき、ＴＶ電話装置１００の電源が投入された状態でＴＶ電話装置１００を装着すると、受信待受状態を維持しながら充電することができる。一方、電源が投入されていない状態で装着すると充電だけが行われる。
【００４９】
以下、本発明の一実施形態に係るＴＶ電話装置１００が受話を開始するまでの動作について、図１０〜図１３を参照して説明する。同図に示すように、ＴＶ電話装置１００に電源が投入（Ｓ１）されたとき、電池に電流が供給されているか否かにより充電装置２００に装着されているかどうかを第１の制御部１２１が判断する（Ｓ２）。次に、筐体１０１が開いているかを第１のホール素子１１２からの検出信号の有無により第１の制御部１２１が判断する（Ｓ３）。
【００５０】
ＴＶ電話装置１００が充電装置２００に装着されていないとき、日付や曜日、時刻などの時刻情報や、マナーモードに設定されているか否か等の設定情報、電界強度や電池残容量を示すマークは、筐体１０１が開いていれば第１の表示部１１４に表示し（Ｓ４）、筐体１０１が閉じていれば第２の表示部１１５に表示する（Ｓ５）。ＴＶ電話装置１００が充電装置２００に装着されているときは、赤外線によりＴＶ電話装置１００より充電装置２００へ伝達されて第３の表示部２０５に表示される（Ｓ６）。なお、第３の表示部２０５に表示されているとき、第１または第２の表示部１１４，１１５にも表示して良い。
【００５１】
受信待受状態（Ｓ７）において、無線基地局からＴＶ電話装置１００に呼出し（着信）がある（Ｓ８）と、着信ランプ１１９を点灯（Ｓ９）し、第１の制御部１２１は充電装置２００に装着されているか否かを判断する（Ｓ１０）。ＴＶ電話装置１００が充電装置２００に装着されているとき、マナーモードに設定していなければ（Ｓ１１）第１のスピーカ部１０９から着信メロディを出力する（Ｓ１２）。マナーモードに設定中であれば（Ｓ１１）、第１のスピーカ部１０９からの出力を行わず、バイブレータ部１０４を始動する（Ｓ１３）。
【００５２】
次に、筐体１０１の開閉状態を判断する（Ｓ１４）。開いているとき、第１の表示部１１４は、送信者から発信番号通知がある（Ｓ１５）ときは発信者の電話番号を表示し（Ｓ１６）、発信番号通知がなければ「チャクシン」と表示する（Ｓ１７）。さらに、発信者の電話番号を文字情報（例えば、名前やニックネーム等）と関連付けた登録、所謂電話帳に登録されていれば（Ｓ１８）、発信者の電話番号と共に或いは発信者の電話番号の代わりに登録名（Ｓ１９）を表示する。
【００５３】
ステップＳ１４において閉じているとき、第２の表示部１１５には、送信者から発信番号通知がある（Ｓ２０）ときは発信者の電話番号を表示し（Ｓ２１）、発信番号通知がなければ「チャクシン」と表示する（Ｓ２２）。さらに、発信者の電話番号が電話帳にあれば（Ｓ２３）、発信者の電話番号と共に或いは発信者の電話番号の代わりに登録名を表示する（Ｓ２４）。次に、受話するために、筐体１０１が閉じてあれば筐体１０１を開き（Ｓ２７）、第１の操作部１０５の受話ボタン１０５ｃを押圧操作すると（Ｓ２８）、受話が開始される（Ｓ２９）。
【００５４】
着信した時、ＴＶ電話装置１００が充電装置２００に載置されていれば（Ｓ１０）、第１の赤外線発光部１１３ｂから赤外線が照射されて、発信者の番号や、音声情報のみの着信か、音声情報と画像情報の着信かなどの着信情報や、ＴＶ電話装置１００の設定情報を送出し（Ｓ３０）、第２の赤外線受光部２０２ｃが受光してこれら情報を授受する（Ｓ３１）。
【００５５】
ＴＶ電話装置１００がマナーモードに設定されていなければ（Ｓ３２）、第２のスピーカ部２０４から着信メロディを発生する（Ｓ３３）。一方、マナーモードに設定中であれば（Ｓ３２）、第２のスピーカ部２０４からの発音を行わず、バイブレータ部を始動する（Ｓ３４）。次に、筐体１０１の開閉状態が何れの状態であっても、第３の表示部２０５には、送信者から発信番号通知がある（Ｓ３５）ときは発信者の電話番号を表示し（Ｓ３６）、発信番号通知がなければ（Ｓ３５）「チャクシン」と表示する（Ｓ３７）。さらに、発信者の電話番号が電話帳に登録されていれば（Ｓ３８）、発信者の電話番号と共に或いは発信者の電話番号の代わりに名前を表示する（Ｓ３９）。
【００５６】
次に、使用者が充電装置２００からＴＶ電話装置１００を外したか否かを判断し（Ｓ４０）、外されているなら、第１の赤外線発光部１１３ｂからの発光を停止し（Ｓ４１）、ステップＳ２６へ移行する。装着された状態で使用者が第２の操作部２０３の受話ボタン２０３ｃを操作すると（Ｓ４２）、第２の赤外線発光部２０２ｂから第１の赤外線受光部１１３ｃへ受話ボタン２０３ｃが操作されたことを送出し、第１の制御部１２１が受話動作を開始して、受話が開始される（Ｓ２９）。受話ボタン２０３ｃが操作されず、呼出し（第２のスピーカから着信メロディを発生か、バイブレータ部１０４を始動されている状態）が継続されていれば（Ｓ４３）、ステップＳ３２から再開される。
【００５７】
なお、メールを受信した場合は、相手の電話番号や「チャクシン」を表示する何れかの表示部１１４，１１５，２０５に、メールを着信したことを報知するマークが表示される。
【００５８】
次に、本発明の一実施形態に係るＴＶ電話装置１００が受話を開始してから終話するまでの動作について、図１４および図１５を参照して説明する。同図に示すように、前述した何れかの受話ボタン１０５ｃ，２０３ｃが操作され受話開始可能状態（Ｓ５１）となったＴＶ電話装置１００において、ＴＶ電話装置１００が充電装置２００に装着されていないとき（Ｓ５２）、ＴＶ電話を受信した場合（Ｓ５３）は第１の表示部１１４に受信した画像情報を写し出すと共に、通話時間を表示する（Ｓ５４）。
【００５９】
そして、第１のスピーカ部１０９から音声（発信者の声）が出力される（Ｓ５５）ため、ＴＶ電話装置１００を耳に近付けずに通話ができる（ハンズフリー）。ＴＶ電話ではなく音声のみの着信であれば（Ｓ５３）、第１の表示部に通話時間を表示し（Ｓ５６）、レシーバから音声（発信者の声）が出力される（Ｓ５７）。ステップＳ５２において、ＴＶ電話装置１００が充電装置２００に装着されている判断されたとき、ＴＶ電話を受信した場合には（Ｓ５８）第３の表示部２０５に受信した画像情報を写し出すと共に、通話時間を表示する（Ｓ５９）。そして、第２のスピーカ部２０４から音声（発信者の声）が出力される（Ｓ６０）。ＴＶ電話ではなく音声のみの着信であれば、第３の表示部２０５に通話時間を表示し（Ｓ６１）、第２のスピーカ部２０４から音声（発信者の声）が出力される。
【００６０】
終話する場合（Ｓ６２）、ＴＶ電話装置１００が充電装置２００に装着してなければ（Ｓ６３）、第１の操作部１０５の終話ボタン１０５ｄを押す（Ｓ６４）と終話する（Ｓ６５）。ＴＶ電話装置１００が充電装置２００に装着されていれば、第１の操作部１０５の終話ボタン１０５ｄか第２の操作部２０３の終話ボタン２０３ｄの何れかを押す（Ｓ６６）と終話する（Ｓ６５）。終話すると、着信待受け状態（Ｓ６７）となる。
【００６１】
本発明の一実施形態に係るＴＶ電話装置および充電装置で音声または音楽を再生するときの動作について、図１６および図１７を参照して説明する。なお、以下の説明では、情報記録カード１２２（メモリカード）に音楽や会話などの音声が録音されており、この音声を聞く（再生）場合について説明する。
【００６２】
図１６および図１７に示すように、受信待受状態（Ｓ７１）において、メモリカード１２２から音声の再生をする場合（Ｓ７２）、第１の情報記録カード部１１７にメモリカード１２２が装着されていなければ（Ｓ７３）、第１の情報記録カード部１１７にメモリカード１２２を装着する（Ｓ７４）。メモリカード１２２が第１の情報記録カード部１１７に装着された状態で、第１の操作部１０５を操作して楽曲や会話を選曲し（Ｓ７５）、決定すると（Ｓ７６）、再生が開始される（Ｓ７７）。
【００６３】
このとき、ＴＶ電話装置１００が充電装置２００から外されていれば（Ｓ７８）、第１のスピーカ部１０９から音声が出力される（Ｓ７９）。ＴＶ電話装置１００が充電装置２００に装着されていれば、第２にスピーカ部２０４から音声が出力される（Ｓ８０）。再生中に着信があった場合（Ｓ８１）は再生を中断し（Ｓ８２）、図１０の▲１▼から動作が開始される。再生を中止する場合（Ｓ８３）は、第１の操作部の中の再生停止ボタンを操作すると（Ｓ８４）、再生が中止する（Ｓ８５）。
【００６４】
なお、メモリカード１２２に画像が格納されているとき、この画像を再生する場合は、ＴＶ電話装置１００が充電装置２００に装着されていなければ第１の表示部１１４に再生表示され、ＴＶ電話装置１００が充電装置２００に装着されていれば第３の表示部２０５に再生表示されるなど、その動作は上述した音声再生と同様であるので、詳述は省く。また、音声情報や画像情報が情報記録部１０６に記憶されている場合、これらを再生する場合も同様である。
【００６５】
以上説明したように、本実施形態のＴＶ電話装置１００および充電装置２００を用いれば、充電装置２００からＴＶ電話装置１００を外して使用するとき（屋外で使用しているときなど）は、ＴＶ電話装置１００の第１または第２の表示部１１４，１１５で文字や画像等を見ることができ、レシーバ１０８や第１スピーカ部１０９から通信相手の音声を聞くことができる。
【００６６】
一方、ＴＶ電話装置１００を充電装置２００に装着して使用するとき（屋内で使用しているときなど）には、ＴＶ電話装置１００を充電しながら、第３の表示部２０５で文字や画像などを見ることができ、また第２スピーカ部２０４から通信相手の音声を聞くことができる。したがって、通話時間が短いＴＶ電話でも長時間通話することができる。また、高画質、高音質な画像、音声を得ることができる。しかも、ＴＶ電話装置１００を充電装置２００に装着しているときでも送話部１１０が露呈されているので、ハンズフリーで通話できる。さらに、ＴＶ電話装置１００を充電装置２００に装着しているときに、受話または終話をしたいときは充電装置２００の第２の操作部２０３を操作するだけで、受話または終話することができるので、ＴＶ電話装置１００を充電装置２００から取外して受話、終話するための動作を行わなくてもよいなど、利便性を向上させることができる。
【００６７】
また、第２の情報記録カード部２０７に第２のメモリカード（図示せず）を装着し、所定の操作を行えば、第１の情報記録カード部１１７に装着されたメモリカード１２２に記録された情報を充電装置２００に送信して、第２のメモリカードに複写することもできるため、特別な装置を用いなくても簡単に情報の複写保存ができる。
【００６８】
なお、本実施形態では、ＴＶ電話装置１００と充電装置２００とは赤外線を利用した装置間の無線通信を行う構成として説明したが、例えば、短距離間無線データ通信を可能にするＢｌｕｅｔｏｏｔｈ（ブルートゥース）と呼ばれる無線インターフェースなどの他の方式を用いて通信を行っても良い。
【００６９】
【発明の効果】
以上説明したように、本発明に係る充電装置および通信端末によれば、通信端末が充電装置に装着された状態では、通信端末で受信された画像、動画、音声等の情報は充電装置が有する第１出力表示手段から出力または表示される。充電装置は屋内で用いられることが多いため、携帯性に適した通信端末が有する諸機能を屋内での使用に合わせることによって利便性を高めることができる。
【図面の簡単な説明】
【図１】本発明の一実施形態に係るＴＶ電話装置の閉じた状態を示す斜視図
【図２】図１に示したＴＶ電話装置の開いた状態を示す斜視図
【図３】本発明の一実施形態に係る充電装置の斜視図
【図４】図１に示したＴＶ電話装置を図３に示した充電装置に装着した状態を示す斜視図
【図５】図２に示したＴＶ電話装置を図３に示した充電装置に装着した状態を示す斜視図
【図６】図５に示したＴＶ電話装置および充電装置の横断面図
【図７】本発明の一実施形態に係るＴＶ電話装置の電気的構成を示すブロック図
【図８】本発明の一実施形態に係る充電装置の電気的構成を示すブロック図
【図９】本発明の一実施形態に係るＴＶ電話装置の機能を説明するための説明図
【図１０】本発明の一実施形態に係るＴＶ電話装置が受話を開始するまでの動作を説明するフローチャート
【図１１】本発明の一実施形態に係るＴＶ電話装置が受話を開始するまでの動作を説明するフローチャート
【図１２】本発明の一実施形態に係るＴＶ電話装置が受話を開始するまでの動作を説明するフローチャート
【図１３】本発明の一実施形態に係るＴＶ電話装置が受話を開始するまでの動作を説明するフローチャート
【図１４】本発明の一実施形態に係るＴＶ電話装置が受話を開始してから終話するまでの動作を説明するフローチャート
【図１５】本発明の一実施形態に係るＴＶ電話装置が受話を開始してから終話するまでの動作を説明するフローチャート
【図１６】本発明の一実施形態に係るＴＶ電話装置および充電装置で音声または音楽を再生するときの動作を説明するフローチャート
【図１７】本発明の一実施形態に係るＴＶ電話装置および充電装置で音声または音楽を再生するときの動作を説明するフローチャート
【符号の説明】
１００　ＴＶ電話装置
１０２　アンテナ
１０５　第１の操作部
１０７　電池
１０８　受話部（レシーバ）
１０９　第１のスピーカ部
１１１　カメラ部
１１３　第１の赤外線接続部
１１４　第１の表示部
１１５　第２の表示部
１２１　第１の制御部
２００　充電装置
２０２　第２の赤外線接続部
２０３　第２の操作部
２０４　第２のスピーカ部
２０５　第３の表示部
２０９　第２の制御部
【図１】
2004023386.tif 000003
【図２】
2004023386.tif 000004
【図３】
2004023386.tif 000005
【図４】
2004023386.tif 000006
【図５】
2004023386.tif 000007
【図６】
2004023386.tif 000008
【図７】
2004023386.tif 000009
【図８】
2004023386.tif 000010
【図９】
2004023386.tif 000011
【図１０】
2004023386.tif 000012
【図１１】
2004023386.tif 000013
【図１２】
2004023386.tif 000014
【図１３】
2004023386.tif 000015
【図１４】
2004023386.tif 000016
【図１５】
2004023386.tif 000017
【図１６】
2004023386.tif 000018
【図１７】
2004023386.tif 000019